(57)【要約】　　　（修正有）【課題】基地局間光ファイバーの増加によるコスト削減のため、多重入力多重出力ワイヤレス通信システムを導入する。【解決手段】　本システムは、第１及び第２の無線周波数信号を受信する少なくとも第１及び第２のアンテナと、第１及び第２の無線周波数信号を第１及び第２の光信号に変換し、光ファイバ12を介した送信のために第１及び第２の光信号を多重化する、多重化システムとを備える。中央処理基地局14は、光ファイバ12への接続に適応している。中央処理基地局14は、光ファイバ12からの第１及び第２の光信号を逆多重化し、第１及び第２の光信号を第１及び第２の無線周波数信号に変換し、情報信号を得るために第１及び第２の無線周波数信号を処理する。別の実施形態では、同軸ケーブルなどの導体が光ファイバの代わりに用いられ、マルチプレクサ10は、第１及び第２の無線周波数信号を導体に多重化する。【選択図】図１
2004056821.tif 000002
【特許請求の範囲】
【請求項１】
　多重入力多重出力ワイヤレス通信システムの多重無線周波数信号を中央処理基地局へ搬送するためのシステムであって、
　第１及び第２の無線周波数信号を受信する、少なくとも第１及び第２のアンテナと、
　前記第１及び第２の無線周波数信号を第１及び第２の光信号に変換し、光ファイバを介した送信のために前記第１及び第２の光信号を多重化する、多重化システムと、
　前記光ファイバへの接続に適応する中央処理基地局であって、前記光ファイバからの前記第１及び第２の光信号を逆多重化し、前記第１及び第２の光信号を前記第１及び第２の無線周波数信号に変換し、情報信号を得るために前記第１及び第２の無線周波数信号を処理する、中央処理基地局と、
を備えることを特徴とするシステム。
【請求項２】
　前記第１及び第２の無線周波数信号は、多重入力多重出力送信技術に従って送信されることを特徴とする請求項１に記載のシステム。
【請求項３】
　前記第１及び第２の無線周波数信号は、空間分割多重化、時空符号化、ビーム形成、ダイバーシティ、及びこれらの技術のハイブリッドのうちの一つに従って送信されることを特徴とする請求項１に記載のシステム。
【請求項４】
　前記多重化システムは、前記光ファイバを介した送信のために前記第１及び第２の光信号を波分割多重化によって多重化することを特徴とする請求項１に記載のシステム。
【請求項５】
　前記多重化システムは、前記光ファイバを介した送信のために前記第１及び第２の光信号を分散多重化によって多重化することを特徴とする請求項１に記載のシステム。
【請求項６】
　前記中央処理基地局は、
　前記光ファイバからの前記第１及び第２の光信号を逆多重化し、前記第１及び第２の光信号を前記第１及び第２の無線周波数信号に変換する、デマルチプレクサと、
　前記第１及び第２の無線周波数信号をそれぞれ第１及び第２のベースバンド信号に変換する、第１及び第２のコンバータと、
　前記第１及び第２のベースバンド信号を情報信号に変換する、多重入力多重出力プロセッサと、
を備えることを特徴とする請求項１に記載のシステム。
【請求項７】
　多重入力多重出力ワイヤレス通信システムの多重無線周波数信号を中央処理基地局へ搬送するためのシステムであって、
　第１及び第２の無線周波数信号を受信する、少なくとも第１及び第２のアンテナと、
　前記第１及び第２の無線周波数信号をそれぞれ第１及び第２の光信号に変換し、前記第１及び第２の光信号をそれぞれ第１及び第２の光ファイバへ送り込む、少なくとも第１及び第２の光学コンバータと、
　主搬送光ファイバを介した送信のために前記第１及び第２の光ファイバからの前記第１及び第２の光信号を多重化する、多重化システムと、
　前記主搬送光ファイバへの接続に適応する中央処理基地局であって、前記主搬送光ファイバからの前記第１及び第２の光信号を逆多重化し、前記第１及び第２の光信号を前記第１及び第２の無線周波数信号に変換し、情報信号を得るために前記第１及び第２の無線周波数信号を処理する、中央処理基地局と、
を備えることを特徴とするシステム。
【請求項８】
　前記第１及び第２の無線周波数信号は、多重入力多重出力送信技術に従って送信されることを特徴とする請求項７に記載のシステム。
【請求項９】
　前記第１及び第２の無線周波数信号は、空間分割多重化、時空符号化、ビーム形成、ダイバーシティ、及びこれらの技術のハイブリッドのうちの一つに従って送信されることを特徴とする請求項７に記載のシステム。
【請求項１０】
　前記多重化システムは、前記主搬送光ファイバを介した送信のために前記第１及び第２の光信号を波分割多重化によって多重化することを特徴とする請求項７に記載のシステム。
【請求項１１】
　前記多重化システムは、前記主搬送光ファイバを介した送信のために前記第１及び第２の光信号を分散多重化によって多重化することを特徴とする請求項７に記載のシステム。
【請求項１２】
　前記中央処理基地局は、
　前記主搬送光ファイバからの前記第１及び第２の光信号を逆多重化し、前記第１及び第２の光信号を前記第１及び第２の無線周波数信号に変換する、デマルチプレクサと、
　前記第１及び第２の無線周波数信号をそれぞれ第１及び第２のベースバンド信号に変換する、第１及び第２のコンバータと、
　前記第１及び第２のベースバンド信号を情報信号に変換する、多重入力多重出力プロセッサと、
を備えることを特徴とする請求項７に記載のシステム。
【請求項１３】
　多重入力多重出力ワイヤレス通信システムの多重無線周波数信号を中央処理基地局へ搬送するためのシステムであって、
　第１及び第２の無線周波数信号を受信する、少なくとも第１及び第２のアンテナと、
　主搬送ケーブルを介した送信のために前記第１及び第２の無線周波数信号を多重化する、多重化システムと、
　前記主搬送ケーブルに接続される中央処理基地局であって、前記主搬送ケーブルからの前記第１及び第２の無線周波数信号を逆多重化し、情報信号を得るために前記第１及び第２の無線周波数信号を処理する、中央処理基地局と、
を備えることを特徴とするシステム。
【請求項１４】
　前記第１及び第２の無線周波数信号は、多重入力多重出力送信技術に従って送信されることを特徴とする請求項１３に記載のシステム。
【請求項１５】
　前記第１及び第２の無線周波数信号は、空間分割多重化、時空符号化、ビーム形成、ダイバーシティ、及びこれらの技術のハイブリッドのうちの一つに従って送信されることを特徴とする請求項１３に記載のシステム。
【請求項１６】
　前記主搬送ケーブルは同軸ケーブルであることを特徴とする請求項１３に記載のシステム。
【請求項１７】
　前記多重化システムは、前記主搬送ケーブルを介した送信のために前記第１及び第２の無線周波数信号を周波数分割多重化及び時分割多重化の一つによって多重化することを特徴とする請求項１３に記載のシステム。
【請求項１８】
　前記中央処理基地局は、
　前記主搬送ケーブルからの前記第１及び第２の無線周波数信号を逆多重化する、デマルチプレクサと、
　前記第１及び第２の無線周波数信号をそれぞれ第１及び第２のベースバンド信号に変換する、第１及び第２のコンバータと、
　前記第１及び第２のベースバンド信号を情報信号に変換する、多重入力多重出力プロセッサと、
を備えることを特徴とする請求項１３に記載のシステム。
【請求項１９】
　前記第１及び第２のアンテナから前記多重化システムへ前記第１及び第２の無線周波数信号をそれぞれ運ぶ、少なくとも第１及び第２の二次ケーブルを更に備えることを特徴とする請求項１３に記載のシステム。
【請求項２０】
　第１及び第２の無線周波数信号を受信する、少なくとも第１及び第２の受信アンテナと、
　前記第１及び第２の無線周波数信号を第１及び第２の光信号に変換し、集中基地局への搬送のための単一の光ファイバを介した送信のために前記第１及び第２の光信号を多重化する、マルチプレクサと、
を備えることを特徴とするアクセス・ポイント。
【請求項２１】
　前記第１及び第２の無線周波数信号は、多重入力多重出力送信技術に従って送信された信号の受信されたバージョンであることを特徴とする請求項２０に記載のアクセス・ポイント。
【請求項２２】
　前記マルチプレクサは、前記光ファイバを介した送信のために前記第１及び第２の光信号を波分割多重化及び分散多重化の一つによって多重化することを特徴とする請求項２０に記載のアクセス・ポイント。
【請求項２３】
　光ファイバに接続され、複合光信号を少なくとも第１及び第２の光信号に逆多重化し、前記第１及び第２の光信号を第１及び第２の無線周波数信号に変換する、デマルチプレクサと、
　前記第１及び第２の無線周波数信号をそれぞれ送信する少なくとも第１及び第２のアンテナと、
を備えることを特徴とするアクセス・ポイント。
【請求項２４】
　前記デマルチプレクサは、前記光ファイバからの前記第１及び第２の光信号を波分割逆多重化及び分散逆多重化の一つによって逆多重化することを特徴とする請求項２３に記載のアクセス・ポイント。
【請求項２５】
　多重入力多重出力ワイヤレス通信システムの多重無線周波数信号を中央処理基地局から搬送するためのシステムであって、
　光ファイバへの接続に適応する中央処理基地局であって、少なくとも第１及び第２の無線周波数信号を生成し、前記第１及び第２の無線周波数信号を第１及び第２の光信号に変換し、前記光ファイバを介した送信のために前記第１及び第２の光信号を多重化する、中央処理基地局と、
　前記光ファイバへの接続に適応し、前記光ファイバ上の前記第１及び第２の光信号を逆多重化し、前記第１及び第２の光信号を前記第１及び第２の無線周波数信号に変換する、アクセス・ポイントと、
　前記第１及び第２の無線周波数信号をそれぞれ送信する少なくとも第１及び第２のアンテナと、
を備えることを特徴とするシステム。
【請求項２６】
　前記第１及び第２の無線周波数信号は、多重入力多重出力送信技術に従って送信されることを特徴とする請求項２５に記載のシステム。
【請求項２７】
　前記第１及び第２の無線周波数信号は、空間分割多重化、時空符号化、ビーム形成、ダイバーシティ、及びこれらの技術のハイブリッドのうちの一つに従って送信されることを特徴とする請求項２５に記載のシステム。
【請求項２８】
　前記中央処理基地局は、前記光ファイバを介した送信のために前記第１及び第２の光信号を波分割多重化によって多重化することを特徴とする請求項２５に記載のシステム。
【請求項２９】
　前記中央処理基地局は、前記光ファイバを介した送信のために前記第１及び第２の光信号を分散多重化によって多重化することを特徴とする請求項２５に記載のシステム。
【発明の詳細な説明】
【技術分野】
【０００１】
　本発明は、遠隔通信の分野に関し、より詳細には、多重入力多重出力（Multiple Input, Multiple Output: MIMO）ワイヤレス通信システムの多重無線周波数信号（Multiple Radio Frequency Signals）を、中央処理基地局へ、及び／又は中央処理基地局から、搬送するためのシステムに関する。
【背景技術】
【０００２】
　コストを低減するために、遠隔通信システムの基地局の処理タスクを中央集中化することが提案されてきた。このシステムにおいては、個々のセルはもはやセル自体の中に基地局の処理を含まない。その代わり、それぞれのセルが非常に低いコストのアクセス・ポイントとなる。それぞれのアクセス・ポイントには、特定の無線周波数（Radio Frequency）で信号を受信するためのアンテナと、受信した無線周波数信号を光信号に変換するためのコンバータと、光ファイバを介して光信号を集中基地局へ送信するための光送信機とが備えられる。したがって、このシステムにおいては、各々のアンテナが、各々のアンテナ用の光ファイバにより集中基地局に接続される。この技術は、ＲｏＦ（radio over fiber）として周知となっている。集中基地局で、光信号は無線周波数信号に変換し戻され、無線周波数信号はベースバンドにミックスダウン又は変換され、ベースバンド信号は周知の方式で処理される。
【０００３】
　しかし、多重入力多重出力（MIMO）通信技術が、ワイヤレス通信の発展の次のステップとして提案されてきている。空間分割多重化（Space Division Multiplexing: SDM）などの多重入力多重出力（MIMO）通信技術により、ワイヤレスチャンネルの多重通路分散が十分に行われ適切に利用される、途方もない帯域幅効率の達成が実現する。上述した単一入力単一出力（Single Input, Single Output: SISO）システムとは異なり、ＳＤＭなどのＭＩＭＯ通信技術は、少なくとも半波長の間隔を置いた異なるアンテナ上での異なる信号の同時送信を伴う。
【０００４】
　個々の送信アンテナによって送信すべき個々の信号の作成は、個々のＭＩＭＯアルゴリズムについて異なる。第１に、送信機での入りデータは、より信頼性の高い通信リンクを作成するために空間領域内でより冗長性を持って送信できる。この冗長性を含むための一つの方法は、入りデータを多重送信アンテナにコピーしてアンテナ毎に位相を単に変えることである。このようにして、特定の方向に対してビームが形成される。この技術は、ビーム形成と呼ばれ、非特許文献１に開示されている。第２に、冗長性は、入りデータが空間中で符号化される方式で符号化することにより追加できる。この技術は、時空符号化と呼ばれ、非特許文献２に開示されている。あるいは、入りデータは、異なる送信アンテナに多重化できる。すなわち、非特許文献３や本発明者による非特許文献４に開示されているような空間多重化又は空間分割多重化が可能である。また、上記の技術のハイブリッドも可能である。
【非特許文献１】ジェイ・イー・ハドソン（J.E.Hudson）著，「アイイーイー・エレクトロマグネティック・ウェーブ・シリーズ（第１１巻）アダプティブ・アレイ・プリンシプルズ（Adaptive Array Principles, IEE Electromagnetic Wave Series, No. 11）」，（英国），ピーター・ペレグリヌス（Peter Peregrinus），スティーブニッジ（Stevenage），１９８１年
【非特許文献２】ブイ・タローフ，エヌ・セシャドリ，エイ・アール・カルダーバンク（V.Tarokh, N.Seshadri, A.R.Calderbank），「スペース−タイム・コーズ・フォー・ハイ・データ・レート・ワイヤレス・コミュニケーション：パフォーマンス・クライテリオン・アンド・コード・コンストラクション（Space-Time Codes for High Data Rate Wireless Communication: Performance Criterion and Code Construction）」，「アイイーイーイー・トランザクションズ・オン・インフォメーション・セオリー（IEEE Transactions on Information Theory）」，（米国），１９９８年３月，第４４巻，第３号，ｐ．７４４−７５６
【非特許文献３】ジー・ジェイ・フォシーニ（G.J.Foschini），「レイヤード・スペース−タイム・アーキテクチャー・フォー・ワイヤレス・コミュニケーション・イン・ア・フェーディング・エンビロンメント・フェン・ユージング・マルチ−エレメント・アンテナズ（Layered Space-Time Architecture for Wireless Communication in a Fading Environment When Using Multi-Element Antennas）」，「ベル・ラブズ・テクニカル・ジャーナル（Bell Labs Technical Journal）」，１９９６年秋，第１巻，第２号
【非特許文献４】アラート・ヴァン・ツェルスト（Allert van Zelst），「スペーシャル・ディビジョン・マルチプレクシング・アルゴリズムズ（Spatial Division Multiplexing Algorithms）」，「第１０回メディテラニアン・エレクトロテクニカル・カンファレンス（メレコン）２０００（10th Mediterranean Electrotechnical Conf. (MELECON) 2000）」，（キプロス），２０００年５月，第３巻，ｐ．１２１８−１２２１
【発明の開示】
【発明が解決しようとする課題】
【０００５】
　十分に分散された環境により信号が同じ周波数上で送信されるので、データの平行な流れが空中でミックスされるが、いくつかのＭＩＭＯアルゴリズムの一つを使用する受信機で回復できる。一般に、これらの逆多重化及び／又は復号化アルゴリズムには、多重アンテナを使用して、十分な性能を確実にする必要がある。その結果、それぞれのアクセス・ポイントでのアンテナの数が著しく増加し、そのため、逆多重化オペレーションが実施される集中基地局へ向かう光ファイバの数が劇的に増加することとなる。このような光ファイバの数の大幅な増加により、基地局の処理タスクを中央集中化することによって実現されるはずのコスト削減が余り意味のないものになる。
【課題を解決するための手段】
【０００６】
　一実施形態では、受信した無線周波数信号が光信号に変換され、波分割多重化（WDM）や分散多重化などの光学多重化技術を使用して、集中基地局への搬送のための単一の光ファイバを介した送信のために、光信号を多重化する。別の実施形態では、周波数分割多重化又は他の周知の電磁信号多重化技術を使用して、集中基地局への搬送のための同軸ケーブルなどの単一の導体を介した送信のために、受信した無線周波数信号を多重化する。更なる実施形態では、同様の技術を使用して、集中基地局から無線周波数信号を搬送する。この実施形態では、集中基地局は、無線周波数信号を生成し、無線周波数信号を第１及び第２の光信号に変換し、光ファイバを介した送信のために光信号を多重化する。光ファイバへの接続に適応するアクセス・ポイントが、光ファイバ上の光信号を逆多重化し、光信号を無線周波数信号に変換し、これらは次いで各アンテナを介して送信される。
【発明の効果】
【０００７】
　本発明による多重入力多重出力ワイヤレス通信システムの多重無線周波数信号を中央処理基地局へ搬送するためのシステムにおいては、集中基地局へ搬送される信号は、一実施形態では単一の光ファイバを介した、又は別の実施形態では導体（例えば、同軸ケーブル）を介した、送信のために多重化される。したがって、ＭＩＭＯ通信システム内の集中基地局へ向かう光ファイバ又は導体の数は、単一入力単一出力システム（SISO）のものと実質的に変わらない。
【発明を実施するための最良の形態】
【０００８】
　本発明は、以下の詳細な説明及び単に例示目的で示した添付図面から、より十分に理解されるであろう。なお同様の参照番号は、さまざまな図面内の対応する部分を表す。
【０００９】
　図１は、本発明の一実施形態による、多重入力多重出力ワイヤレス通信システムの多重無線周波数信号を中央処理基地局へ搬送するためのシステムを示す図である。図示のように、周知のＭＩＭＯ技術（例えば、空間分割多重化、時空符号化、ビーム形成、ダイバーシティなど、又はこのような技術のハイブリッド）に従って生成される情報信号Ｓ１．．．Ｓｎが、それぞれ、用いられたＭＩＭＯ技術によって確立された対応する複数のアンテナＡ１．．．Ａｎを介して複数の送信機Ｔｘ１．．．Ｔｘｎによって送信される。送信された信号は、アクセス・ポイント１１で複数の受信アンテナＲＡ１．．．ＲＡｍによって受信される。受信アンテナの数ｍは、用いられるＭＩＭＯ技術及び送信／受信環境に依存する。したがって、ｍは、設計制約条件によって変化し、そのため、ｍは、ｎより大きい、ｎに等しい、又はｎ未満、であり得る。
【００１０】
　アクセス・ポイント１１でマルチプレクサ１０が、それぞれの受信アンテナＲＡ１．．．ＲＡｍから受信した無線周波数（Radio Frequency: RF）信号を光信号に変換し、光信号を単一の光ファイバ１２に多重化する。マルチプレクサ１０では、それぞれの受信アンテナＲＡ１．．．ＲＡｍによって受信されたＲＦ信号のそれぞれが、各（線形）増幅器Ｌ１．．．Ｌｍによって増幅され、各発光ダイオードＤ１．．．Ｄｍによって光信号に変換される。次いで、多重化ユニット１８が、周知の波分割多重化（Wave Division Multiplexing: WDM）又は分散多重化技術を使用して、光信号を単一の光ファイバ１２に多重化する。
【００１１】
　集中基地局１４が、単一の光ファイバ１２に接続される。集中基地局１４内のデマルチプレクサ１６が、多重化ユニット１８によって使用される多重化技術の逆に従って単一の光ファイバからの光信号を逆多重化し、例えばフォトダイオードを使用して、各光信号を各ＲＦ信号に変換する。デマルチプレクサ１６によって出力されたそれぞれのＲＦ信号が、受信アンテナＲＡ１．．．ＲＡｍによって受信されたＲＦ信号の一つに対応する。デマルチプレクサ１６によって出力されたそれぞれのＲＦ信号が、各コンバータＣ１．．．Ｃｍによってベースバンド信号に変換される。
【００１２】
　ＭＩＭＯプロセッサ１７が、ＭＩＭＯアルゴリズム（例えば、空間分割多重化、時空符号化、ビーム形成、ダイバーシティなど、又はこのような技術のハイブリッド）に従ってベースバンド信号を情報信号に変換し戻す。次いで、情報信号は、周知の方式で基地局によって処理される。
【００１３】
　ＲＦ信号を単一の搬送光ファイバに多重化することにより、ＭＩＭＯ遠隔通信システム内で集中基地局を用いる場合の複雑さ及びコストが、ＳＩＳＯ遠隔通信システムと比べて劇的に増加することがない。
【００１４】
　図２は、本発明の別の実施形態によって、多重入力多重出力ワイヤレス通信システムの多重無線周波数信号を中央処理基地局へ搬送するためのシステムの一部を示す図である。図２の実施形態は図１の実施形態と実質的に類似しているので、説明を簡単にするために、これらの二つの実施形態の相違点のみを記述することとする。
【００１５】
　図１の実施形態では、マルチプレクサ１０は、受信アンテナＲＡ１．．．ＲＡｍと同じ場所に配置されている。しかし、同じ場所に配置することは常には可能でなく、かつマルチプレクサを、受信アンテナＲＡ１．．．ＲＡｍから短い距離に置かなければならないことがある。この場合、それぞれの受信アンテナＲＡ１．．．ＲＡｍによって受信されたＲＦ信号は、各（線形）増幅器Ｌ１．．．Ｌｍによって増幅され、各発光ダイオードＤ１．．．Ｄｍによって光信号に変換される。それぞれの光信号が、各光ファイバＦ１．．．Ｆｍによってマルチプレクサ２０へ搬送される。マルチプレクサ２０は、周知の波分割多重化（WDM）又は分散多重化技術を使用して、集中基地局１４へ向かう単一の光ファイバ２２に光信号を多重化する。
【００１６】
　図３は、本発明の更なる実施形態によって、多重入力多重出力ワイヤレス通信システムの多重無線周波数信号を中央処理基地局へ搬送するためのシステムの一部を示す図である。図示のように、周知のＭＩＭＯ技術（例えば、空間分割多重化、時空符号化、ビーム形成、ダイバーシティなど、又はこのような技術のハイブリッド）に従って生成された情報信号Ｓ１．．．Ｓｎがそれぞれ、用いられたＭＩＭＯ技術によって確立された、対応する複数のアンテナＡ１．．．Ａｎを介して複数の送信機Ｔｘ１．．．Ｔｘｎによって送信される。送信された信号は、複数の受信アンテナＲＡ１．．．ＲＡｍによって受信される。受信アンテナの数ｍは、用いられるＭＩＭＯ技術及び送信／受信環境に依存する。したがって、ｍは、設計制約条件によって変化し、そのため、ｍは、ｎより大きい、ｎに等しい、又はｎ未満、であり得る。
【００１７】
　マルチプレクサ３０が、周波数分割多重化などの周知の無線周波数信号多重化技術を使用して、ＲＦ信号を単一の導体３８（例えば、同軸ケーブル、ツイストペアなど）に多重化する。
【００１８】
　集中基地局３２が、単一の導体３８に接続される。集中基地局内のデマルチプレクサ３４が、単一の導体３８からのＲＦ信号を逆多重化する。デマルチプレクサ３４によって出力されたそれぞれのＲＦ信号が、受信アンテナＲＡ１．．．ＲＡｍによって受信されたＲＦ信号の一つに対応する。デマルチプレクサ３４によって出力されたそれぞれのＲＦ信号が、各コンバータＣ１．．．Ｃｍによってベースバンド信号に変換される。
【００１９】
　ＭＩＭＯプロセッサ３６が、ＭＩＭＯアルゴリズム（例えば、空間分割多重化、時空符号化、ビーム形成、ダイバーシティなど、又はこのような技術のハイブリッド）に従って、ベースバンド信号を情報信号に変換し戻す。次いで、情報信号は、周知の方式で基地局によって処理される。
【００２０】
　ＲＦ信号を搬送のための単一の導体に多重化することにより、ＭＩＭＯ遠隔通信システム内で集中基地局を用いる場合の複雑さ及びコストが、ＳＩＳＯ遠隔通信システムと比べて劇的に増加することがない。
【００２１】
　図４は、本発明の一実施形態に従って、多重入力多重出力ワイヤレス通信システムの多重無線周波数信号を中央処理基地局から搬送するためのシステムを示す図である。この実施形態の要素の多くが上述した図１の実施形態の要素と同じであるので、同じ要素に対して同じ参照番号を使用する。図示のように、周知のＭＩＭＯ技術（例えば、空間分割多重化、時空符号化、ビーム形成、ダイバーシティなど、又はこのような技術のハイブリッド）に従って生成された情報信号Ｓ１．．．Ｓｐが、それぞれ用いられたＭＩＭＯ技術によって確立された複数の送信機Ｔｘ１．．．Ｔｘｐによって送信されるために準備される。マルチプレクサ１０が、周知の波分割多重化（WDM）又は分散多重化技術を使用して、複数の送信機Ｔｘ１．．．Ｔｘｐからの無線周波数（RF）信号のそれぞれを光信号に変換し、光信号を単一の光ファイバ１２’に多重化する。
【００２２】
　アクセス・ポイント１１’が、単一の光ファイバ１２’に接続される。アクセス・ポイント１１’内のデマルチプレクサ１６が、マルチプレクサ１０によって使用される多重化技術の逆に従って単一の光ファイバからの光信号を逆多重化し、例えばフォトダイオードを使用して、各光信号を各ＲＦ信号に変換する。デマルチプレクサ１６によって出力されたそれぞれのＲＦ信号が、複数の送信機Ｔｘ１．．．Ｔｘｐによって生成されたＲＦ信号の一つに対応する。デマルチプレクサ１６によって出力されたそれぞれのＲＦ信号が、各アンテナＴＡ１．．．ＴＡｐによって送信される。
【００２３】
　送信された信号は、複数の受信アンテナＲＸＡ１．．．ＲＸＡｙによって受信される。受信アンテナの数ｙは、用いられるＭＩＭＯ技術及び送信／受信環境に依存する。したがって、ｙは、設計制約条件によって変化し、そのため、ｙは、ｐより大きい、ｐに等しい、又はｐ未満、であり得る。
【００２４】
　ＭＩＭＯプロセッサ１７が、ＭＩＭＯアルゴリズム（例えば、空間分割多重化、時空符号化、ビーム形成、ダイバーシティなど、又はこのような技術のハイブリッド）に従って、ベースバンド信号を情報信号に変換し戻す。次いで、情報信号は、周知の方式で処理される。
【００２５】
　ＲＦ信号を単一の搬送光ファイバに多重化することにより、ＭＩＭＯ遠隔通信システム内で集中基地局を用いる場合の複雑さ及びコストが、ＳＩＳＯ遠隔通信システムと比べて劇的に増加することがない。
【００２６】
　本発明を上記のように説明してきたが、本発明を多くの方式で変化させることができることは自明であろう。このような変形形態は本発明の趣旨及び範囲から逸脱するものとはみなされず、かつこのようなすべての修正形態は付記の特許請求の範囲内に含まれるものとする。
【産業上の利用可能性】
【００２７】
　無線周波数信号を搬送のための単一の光ファイバ又は導体に多重化することにより、集中基地局を用いる場合の複雑さ及びコストが単一入力単一出力遠隔通信システムと比べて劇的に増加することがない、多重入力多重出力ワイヤレス通信システムが実現される。
【図面の簡単な説明】
【００２８】
【図１】本発明の一実施形態による、多重入力多重出力ワイヤレス通信システムの多重無線周波数信号を中央処理基地局へ搬送するためのシステムを示す図である。
【図２】本発明の別の実施形態による、多重入力多重出力ワイヤレス通信システムの多重無線周波数信号を中央処理基地局へ搬送するためのシステムの一部を示す図である。
【図３】本発明の更なる実施形態による、多重入力多重出力ワイヤレス通信システムの多重無線周波数信号を中央処理基地局へ搬送するためのシステムを示す図である。
【図４】本発明の一実施形態による、多重入力多重出力ワイヤレス通信システムの多重無線周波数信号を中央処理基地局から一つ又は複数のモバイル端末へ搬送するためのシステムを示す図である。
【符号の説明】
【００２９】
　１０，２０，３０…マルチプレクサ、１１，１１’…アクセス・ポイント、１２，１２’，２２…光ファイバ、１４，３２…集中基地局、１８…多重化ユニット、１６，３４…デマルチプレクサ、１７，３６…ＭＩＭＯプロセッサ、３８…導体
【図１】
2004056821.tif 000003
【図２】
2004056821.tif 000004
【図３】
2004056821.tif 000005
【図４】
2004056821.tif 000006